(57)【要約】  アップリンクセル間干渉消去を行うことを可能にするシステムおよび方法について説明する。無線ネットワークコントローラは、ユーザ機器から干渉を受信している非サービングノードを識別するために、測定報告を受信することができる。そのような測定報告の評価に基づいて、干渉メッセージをノードＢに通信することができ、またそのような測定報告はノードＢがそのような識別されたユーザ機器によって生じた干渉を消去または終了できるようにする情報を含むことができる。
2011514042.tif 000002
【特許請求の範囲】
【請求項１】
セル間干渉消去によって非サービングノードＢから過大なアップリンク干渉を除去することを可能にする方法であって、
無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することと、
前記情報に基づいて、非サービングノードＢに干渉しているユーザ機器（ＵＥ）を識別するために前記メッセージを評価することと、
前記評価を利用して前記ＵＥからの前記アップリンク干渉を消去することと
を備える方法。
【請求項２】
無線セットアッププロシージャまたは無線追加プロシージャのうちの少なくとも１つである前記無線リンクプロシージャに関係する情報を含む前記メッセージを利用することをさらに備える、請求項１に記載の方法。
【請求項３】
前記情報が情報要素（ＩＥ）を含み、前記情報要素がＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つである、請求項１に記載の方法。
【請求項４】
ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）内でアップリンク干渉消去を使用することをさらに備える、請求項１に記載の方法。
【請求項５】
基地局、非サービングノードＢ、隣接セル、またはセル間干渉を有するセルのうちの少なくとも１つに対して干渉しているユーザ機器のリストを維持することをさらに備える、請求項１に記載の方法。
【請求項６】
基地局、非サービングノードＢ、隣接セル、またはセル間干渉を有するセルのうちの少なくとも１つに対してリアルタイムで干渉している前記ＵＥを識別することをさらに備える、請求項１に記載の方法。
【請求項７】
基地局、非サービングノードＢ、隣接セル、またはセル間干渉を有するセルのうちの少なくとも１つに対して干渉しているＵＥのあらかじめ定義されたリストを利用することをさらに備える、請求項１に記載の方法。
【請求項８】
前記メッセージを生成するために、セル検出およびアクティブセット更新からの時間に関係する測定報告を活用することをさらに備える、請求項１に記載の方法。
【請求項９】
前記ＵＥによって生じた前記干渉の消去に基づいてアップリンク容量を増加させることをさらに備える、請求項１に記載のシステム。
【請求項１０】
前記無線ネットワークコントローラが、干渉ＵＥを識別する情報をノードＢにシグナリングできるようにするために、ＮＢＡＰ／ＲＮＳＡＰのうちの少なくとも１つを介して前記メッセージを受信することをさらに備える、請求項１に記載のシステム。
【請求項１１】
ワイヤレス通信装置であって、
無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することと、
前記情報に基づいて、非サービングノードＢに干渉しているユーザ機器（ＵＥ）を識別するために前記メッセージを評価することと、
前記評価を利用して前記ＵＥからのアップリンク干渉を消去することと
を行うように構成された少なくとも１つのプロセッサと、
前記少なくとも１つのプロセッサに結合されたメモリと
を備えるワイヤレス通信装置。
【請求項１２】
干渉ノードＢ、基地局、ユーザ機器（ＵＥ）、隣接セル、またはセル間干渉を受信しているセルのうちの少なくとも１つに、ＲＮＳＡＰを利用して干渉メッセージを送信するように構成された少なくとも１つのプロセッサをさらに備える、請求項１１に記載のワイヤレス通信装置。
【請求項１３】
干渉ノードＢ、基地局、ユーザ機器（ＵＥ）、隣接セル、またはセル間干渉を受信しているセルのうちの少なくとも１つに、ＮＢＡＰを利用して干渉メッセージを送信するように構成された少なくとも１つのプロセッサをさらに備える、請求項１１に記載のワイヤレス通信装置。
【請求項１４】
干渉メッセージを無線リンクセットアッププロシージャと通信するように構成された少なくとも１つのプロセッサをさらに備える、請求項１１に記載のワイヤレス通信装置。
【請求項１５】
干渉メッセージを無線リンク追加プロシージャと通信するように構成された少なくとも１つのプロセッサをさらに備える、請求項１１に記載のワイヤレス通信装置。
【請求項１６】
ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成するように構成された少なくとも１つのプロセッサをさらに備える、請求項１１に記載のワイヤレス通信装置。
【請求項１７】
基地局、非サービングノードＢ、隣接セル、またはセル間干渉を有するセルのうちの少なくとも１つに対して干渉しているユーザ機器のリストを維持するように構成された少なくとも１つのプロセッサをさらに備える、請求項１１に記載のワイヤレス通信装置。
【請求項１８】
基地局、非サービングノードＢ、隣接セル、またはセル間干渉を有するセルのうちの少なくとも１つに対してリアルタイムで干渉しているＵＥを識別するように構成された少なくとも１つのプロセッサをさらに備える、請求項１１に記載のワイヤレス通信装置。
【請求項１９】
基地局、非サービングノードＢ、隣接セル、またはセル間干渉を有するセルのうちの少なくとも１つに対して干渉しているＵＥのあらかじめ定義されたリストを利用するように構成された少なくとも１つのプロセッサをさらに備える、請求項１１に記載のワイヤレス通信装置。
【請求項２０】
干渉メッセージ内の情報に基づいて、ＵＴＲＡＮ内でアップリンク干渉消去を使用するように構成された少なくとも１つのプロセッサをさらに備える、請求項１１に記載のワイヤレス通信装置。
【請求項２１】
セル間干渉消去によって非サービングノードＢから過大なアップリンク干渉を除去することを可能にするワイヤレス通信装置であって、
無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信するための手段と、
前記情報に基づいて、非サービングノードＢに干渉しているユーザ機器（ＵＥ）を識別するために前記メッセージを評価するための手段と、
前記評価を利用して前記ＵＥからのアップリンク干渉を消去するための手段と
を備えるワイヤレス通信装置。
【請求項２２】
無線セットアッププロシージャまたは無線追加プロシージャのうちの少なくとも１つである前記無線リンクプロシージャに関係する情報を含む前記メッセージを利用するための手段をさらに備える、請求項２１に記載のワイヤレス通信装置。
【請求項２３】
前記情報が情報要素（ＩＥ）を含み、前記情報要素がＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つである、請求項２１に記載のワイヤレス通信装置。
【請求項２４】
ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）内でアップリンク干渉消去を使用するための手段をさらに備える、請求項２１に記載のワイヤレス通信装置。
【請求項２５】
基地局、非サービングノードＢ、隣接セル、またはセル間干渉を有するセルのうちの少なくとも１つに対して干渉しているユーザ機器のリストを維持するための手段をさらに備える、請求項２１に記載のワイヤレス通信装置。
【請求項２６】
基地局、非サービングノードＢ、隣接セル、またはセル間干渉を有するセルのうちの少なくとも１つに対してリアルタイムで干渉しているＵＥを識別するための手段をさらに備える、請求項２１に記載のワイヤレス通信装置。
【請求項２７】
基地局、非サービングノードＢ、隣接セル、またはセル間干渉を有するセルのうちの少なくとも１つに対して干渉しているＵＥのあらかじめ定義されたリストを利用するための手段をさらに備える、請求項２１に記載のワイヤレス通信装置。
【請求項２８】
前記メッセージを生成するために、セル検出およびアクティブセット更新からの時間に関係する測定報告を活用するための手段をさらに備える、請求項２１に記載のワイヤレス通信装置。
【請求項２９】
前記ＵＥによって生じた干渉の消去に基づいてアップリンク容量を増加させるための手段をさらに備える、請求項２１に記載のワイヤレス通信装置。
【請求項３０】
前記無線ネットワークコントローラが、干渉しているＵＥを識別する情報をノードＢにシグナリングできるようにするために、ＮＢＡＰ／ＲＮＳＡＰのうちの少なくとも１つを介して前記メッセージを受信するための手段をさらに備える、請求項２１に記載のワイヤレス通信装置。
【請求項３１】
少なくとも１つのコンピュータに、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信させるためのコードと、
少なくとも１つのコンピュータに、前記情報に基づいて、非サービングノードＢに干渉しているユーザ機器（ＵＥ）を識別するために前記メッセージを評価させるためのコードと、
少なくとも１つのコンピュータに、前記評価を利用して前記ＵＥからのアップリンク干渉を消去させるためのコードと
を備えるコンピュータ可読媒体
を備えるコンピュータプログラム製品。
【請求項３２】
前記コンピュータ可読媒体が、前記少なくとも１つのコンピュータに、干渉ノードＢ、基地局、ユーザ機器（ＵＥ）、隣接セル、またはセル間干渉を受信しているセルのうちの少なくとも１つに、ＲＮＳＡＰを利用して干渉メッセージを送信させるためのコードをさらに備える、請求項３１に記載のコンピュータプログラム製品。
【請求項３３】
前記コンピュータ可読媒体が、前記少なくとも１つのコンピュータに、干渉ノードＢ、基地局、ユーザ機器（ＵＥ）、隣接セル、またはセル間干渉を受信しているセルのうちの少なくとも１つに、ＮＢＡＰを利用して干渉メッセージを送信させるためのコードをさらに備える、請求項３１に記載のコンピュータプログラム製品。
【請求項３４】
前記コンピュータ可読媒体が、前記少なくとも１つのコンピュータに、干渉メッセージを無線リンクセットアッププロシージャと通信させるためのコードをさらに備える、請求項３１に記載のコンピュータプログラム製品。
【請求項３５】
前記コンピュータ可読媒体が、前記少なくとも１つのコンピュータに、干渉メッセージを無線リンク追加プロシージャと通信させるためのコードをさらに備える、請求項３１に記載のコンピュータプログラム製品。
【請求項３６】
前記コンピュータ可読媒体が、前記少なくとも１つのコンピュータに、ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成させるためのコードをさらに備える、請求項３１に記載のコンピュータプログラム製品。
【請求項３７】
前記コンピュータ可読媒体が、前記少なくとも１つのコンピュータに、基地局、非サービングノードＢ、隣接セル、またはセル間干渉を有するセルのうちの少なくとも１つに対して干渉しているユーザ機器のリストを維持させるためのコードをさらに備える、請求項３１に記載のコンピュータプログラム製品。
【請求項３８】
前記コンピュータ可読媒体が、前記少なくとも１つのコンピュータに、基地局、非サービングノードＢ、隣接セル、またはセル間干渉を有するセルのうちの少なくとも１つに対してリアルタイムで干渉しているＵＥを識別させるためのコードをさらに備える、請求項３１に記載のコンピュータプログラム製品。
【請求項３９】
前記コンピュータ可読媒体が、前記少なくとも１つのコンピュータに、基地局、非サービングノードＢ、隣接セル、またはセル間干渉を有するセルのうちの少なくとも１つに対して干渉しているＵＥのあらかじめ定義されたリストを利用させるためのコードをさらに備える、請求項３１に記載のコンピュータプログラム製品。
【請求項４０】
前記コンピュータ可読媒体が、前記少なくとも１つのコンピュータに、干渉メッセージ内の前記情報に基づいて、ＵＴＲＡＮ内でアップリンク干渉消去を使用させるためのコードをさらに備える、請求項３１に記載のコンピュータプログラム製品。
【請求項４１】
セル間干渉消去を実装することを可能にする方法であって、
検出からアクティブセット更新までの時間に関係する測定報告であって、ユーザ機器に関係する測定報告の一部分を受信することと、
サービングノードＢに対するアクティブセット管理のために使用される第２のしきい値よりも低い第１のしきい値を超えることに基づいて、前記ユーザ機器に対して非サービングノードＢである干渉ノードＢを識別するために前記測定報告の一部分を評価することと、
前記第１のしきい値と前記第２のしきい値との間にある測定報告の評価に基づいて、前記ユーザ機器から干渉を受信している干渉ノードＢを指定する干渉メッセージを、前記干渉ノードＢに送信することと
を備える方法。
【請求項４２】
前記干渉ノードＢ、基地局、ユーザ機器（ＵＥ）、隣接セル、またはセル間干渉を受信しているセルのうちの少なくとも１つに、ＲＮＳＡＰを利用して前記干渉メッセージを送信することをさらに備える、請求項４１に記載の方法。
【請求項４３】
前記干渉ノードＢ、基地局、ユーザ機器（ＵＥ）、隣接セル、またはセル間干渉を受信しているセルのうちの少なくとも１つに、ＮＢＡＰを利用して前記干渉メッセージを送信することをさらに備える、請求項４１に記載の方法。
【請求項４４】
前記干渉メッセージを無線リンクセットアッププロシージャと通信することをさらに備える、請求項４１に記載の方法。
【請求項４５】
前記干渉メッセージを無線リンク追加プロシージャと通信することをさらに備える、請求項４１に記載の方法。
【請求項４６】
ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成することをさらに備える、請求項４１に記載の方法。
【請求項４７】
基地局、非サービングノードＢ、隣接セル、またはセル間干渉を有するセルのうちの少なくとも１つに対して干渉しているユーザ機器のリストを維持することをさらに備える、請求項４１に記載の方法。
【請求項４８】
基地局、非サービングノードＢ、隣接セル、またはセル間干渉を有するセルのうちの少なくとも１つに対してリアルタイムで干渉しているＵＥを識別することをさらに備える、請求項４１に記載の方法。
【請求項４９】
基地局、非サービングノードＢ、隣接セル、またはセル間干渉を有するセルのうちの少なくとも１つに対して干渉しているＵＥのあらかじめ定義されたリストを利用することをさらに備える、請求項４１に記載の方法。
【請求項５０】
干渉メッセージ内の前記情報に基づいて、ＵＴＲＡＮ内でアップリンク干渉消去を使用することをさらに備える、請求項４１に記載の方法。
【請求項５１】
ワイヤレス通信装置であって、
検出からアクティブセット更新までの時間に関係する測定報告であって、ユーザ機器に関係する測定報告の一部分を受信することと、
サービングノードＢに対するアクティブセット管理のために使用される第２のしきい値よりも低い第１のしきい値を超えることに基づいて、前記ユーザ機器に対して非サービングノードＢである干渉ノードＢを識別するために前記測定報告の一部分を評価することと、
前記第１のしきい値と前記第２のしきい値との間にある測定報告の評価に基づいて、ユーザ機器から干渉を受信している前記干渉ノードＢを指定する干渉メッセージを、前記干渉ノードＢに送信することと
を行うように構成された少なくとも１つのプロセッサと、
前記少なくとも１つのプロセッサに結合されたメモリと
を備えるワイヤレス通信装置。
【請求項５２】
前記干渉ノードＢ、基地局、ユーザ機器（ＵＥ）、隣接セル、またはセル間干渉を受信しているセルのうちの少なくとも１つに、ＲＮＳＡＰを利用して前記干渉メッセージを送信するように構成された少なくとも１つのプロセッサをさらに備える、請求項５１に記載のワイヤレス通信装置。
【請求項５３】
前記干渉ノードＢ、基地局、ユーザ機器（ＵＥ）、隣接セル、またはセル間干渉を受信しているセルのうちの少なくとも１つに、ＮＢＡＰを利用して前記干渉メッセージを送信するように構成された少なくとも１つのプロセッサをさらに備える、請求項５１に記載のワイヤレス通信装置。
【請求項５４】
前記干渉メッセージを無線リンクセットアッププロシージャと通信するように構成された少なくとも１つのプロセッサをさらに備える、請求項５１に記載のワイヤレス通信装置。
【請求項５５】
前記干渉メッセージを無線リンク追加プロシージャと通信するように構成された少なくとも１つのプロセッサをさらに備える、請求項５１に記載のワイヤレス通信装置。
【請求項５６】
ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成するように構成された少なくとも１つのプロセッサをさらに備える、請求項５１に記載のワイヤレス通信装置。
【請求項５７】
基地局、非サービングノードＢ、隣接セル、またはセル間干渉を有するセルのうちの少なくとも１つに対して干渉しているユーザ機器のリストを維持するように構成された少なくとも１つのプロセッサをさらに備える、請求項５１に記載のワイヤレス通信装置。
【請求項５８】
基地局、非サービングノードＢ、隣接セル、またはセル間干渉を有するセルのうちの少なくとも１つに対してリアルタイムで干渉しているＵＥを識別するように構成された少なくとも１つのプロセッサをさらに備える、請求項５１に記載のワイヤレス通信装置。
【請求項５９】
基地局、非サービングノードＢ、隣接セル、またはセル間干渉を有するセルのうちの少なくとも１つに対して干渉しているＵＥのあらかじめ定義されたリストを利用するように構成された少なくとも１つのプロセッサをさらに備える、請求項５１に記載のワイヤレス通信装置。
【請求項６０】
干渉メッセージ内の前記情報に基づいて、ＵＴＲＡＮ内でアップリンク干渉消去を使用するように構成された少なくとも１つのプロセッサをさらに備える、請求項５１に記載のワイヤレス通信装置。
【請求項６１】
セル間干渉消去を実装することを可能にするワイヤレス通信装置であって、
検出からアクティブセット更新までの時間に関係する測定報告であって、ユーザ機器に関係する測定報告の一部分を受信するための手段と、
サービングノードＢに対するアクティブセット管理のために使用される第２のしきい値よりも低い第１のしきい値を超えることに基づいて、ユーザ機器に対して非サービングノードＢである干渉ノードＢを識別するために前記測定報告の一部分を評価するための手段と、
前記第１のしきい値と前記第２のしきい値との間にある測定報告の評価に基づいて、前記ユーザ機器から干渉を受信している干渉ノードＢを指定する干渉メッセージを、前記干渉ノードＢに送信するための手段と
を備えるワイヤレス通信装置。
【請求項６２】
前記干渉ノードＢ、基地局、ユーザ機器（ＵＥ）、隣接セル、またはセル間干渉を受信しているセルのうちの少なくとも１つに、ＲＮＳＡＰを利用して前記干渉メッセージを送信するための手段をさらに備える、請求項６１に記載のワイヤレス通信装置。
【請求項６３】
前記干渉ノードＢ、基地局、ユーザ機器（ＵＥ）、隣接セル、またはセル間干渉を受信しているセルのうちの少なくとも１つに、ＮＢＡＰを利用して前記干渉メッセージを送信するための手段をさらに備える、請求項６１に記載のワイヤレス通信装置。
【請求項６４】
前記干渉メッセージを無線リンクセットアッププロシージャと通信するための手段をさらに備える、請求項６１に記載のワイヤレス通信装置。
【請求項６５】
前記干渉メッセージを無線リンク追加プロシージャと通信するための手段をさらに備える、請求項６１に記載のワイヤレス通信装置。
【請求項６６】
ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成するための手段をさらに備える、請求項６１に記載のワイヤレス通信装置。
【請求項６７】
基地局、非サービングノードＢ、隣接セル、またはセル間干渉を有するセルのうちの少なくとも１つに対して干渉しているユーザ機器のリストを維持するための手段をさらに備える、請求項６１に記載のワイヤレス通信装置。
【請求項６８】
基地局、非サービングノードＢ、隣接セル、またはセル間干渉を有するセルのうちの少なくとも１つに対してリアルタイムで干渉しているＵＥを識別するための手段をさらに備える、請求項６１に記載のワイヤレス通信装置。
【請求項６９】
基地局、非サービングノードＢ、隣接セル、またはセル間干渉を有するセルのうちの少なくとも１つに対して干渉しているＵＥのあらかじめ定義されたリストを利用するための手段をさらに備える、請求項６１に記載のワイヤレス通信装置。
【請求項７０】
前記干渉メッセージ内の情報に基づいて、ＵＴＲＡＮ内でアップリンク干渉消去を使用するための手段をさらに備える、請求項６１に記載のワイヤレス通信装置。
【請求項７１】
少なくとも１つのコンピュータに、検出からアクティブセット更新までの時間に関係する測定報告であって、ユーザ機器に関係する測定報告の一部分を受信させるためのコードと、
少なくとも１つのコンピュータに、サービングノードＢに対するアクティブセット管理のために使用される第２のしきい値よりも低い第１のしきい値を超えることに基づいて、前記ユーザ機器に対して非サービングノードＢである干渉ノードＢを識別するために前記測定報告の一部分を評価させるためのコードと、
少なくとも１つのコンピュータに、前記第１のしきい値と前記第２のしきい値との間にある測定報告の評価に基づいて、前記ユーザ機器から干渉を受信している前記干渉ノードＢを指定する干渉メッセージを、前記干渉ノードＢに送信させるためのコードと
を備えるコンピュータ可読媒体
を備えるコンピュータプログラム製品。
【請求項７２】
前記コンピュータ可読媒体が、前記少なくとも１つのコンピュータに、前記干渉ノードＢ、基地局、ユーザ機器（ＵＥ）、隣接セル、またはセル間干渉を受信しているセルのうちの少なくとも１つに、ＲＮＳＡＰを利用して前記干渉メッセージを送信させるためのコードをさらに備える、請求項７１に記載のコンピュータプログラム製品。
【請求項７３】
前記コンピュータ可読媒体が、前記少なくとも１つのコンピュータに、前記干渉ノードＢ、基地局、ユーザ機器（ＵＥ）、隣接セル、またはセル間干渉を受信しているセルのうちの少なくとも１つに、ＮＢＡＰを利用して前記干渉メッセージを送信させるためのコードをさらに備える、請求項７１に記載のコンピュータプログラム製品。
【請求項７４】
前記コンピュータ可読媒体が、前記少なくとも１つのコンピュータに、前記干渉メッセージを無線リンクセットアッププロシージャと通信させるためのコードをさらに備える、請求項７１に記載のコンピュータプログラム製品。
【請求項７５】
前記コンピュータ可読媒体が、前記少なくとも１つのコンピュータに、前記干渉メッセージを無線リンク追加プロシージャと通信させるためのコードをさらに備える、請求項７１に記載のコンピュータプログラム製品。
【請求項７６】
前記コンピュータ可読媒体が、前記少なくとも１つのコンピュータに、ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、またはＥ−ＤＰＣＣＨ電力オフセットのうちの少なくとも１つをもつ干渉メッセージを生成させるためのコードをさらに備える、請求項７１に記載のコンピュータプログラム製品。
【請求項７７】
前記コンピュータ可読媒体が、前記少なくとも１つのコンピュータに、基地局、非サービングノードＢ、隣接セル、またはセル間干渉を有するセルのうちの少なくとも１つに対して干渉しているユーザ機器のリストを維持させるためのコードをさらに備える、請求項７１に記載のコンピュータプログラム製品。
【請求項７８】
前記コンピュータ可読媒体が、前記少なくとも１つのコンピュータに、基地局、非サービングノードＢ、隣接セル、またはセル間干渉を有するセルのうちの少なくとも１つに対してリアルタイムで干渉しているＵＥを識別させるためのコードをさらに備える、請求項７１に記載のコンピュータプログラム製品。
【請求項７９】
前記コンピュータ可読媒体が、前記少なくとも１つのコンピュータに、基地局、非サービングノードＢ、隣接セル、またはセル間干渉を有するセルのうちの少なくとも１つに対して干渉しているＵＥのあらかじめ定義されたリストを利用させるためのコードをさらに備える、請求項７１に記載のコンピュータプログラム製品。
【請求項８０】
前記コンピュータ可読媒体が、前記少なくとも１つのコンピュータに、前記干渉メッセージ内の情報に基づいて、ＵＴＲＡＮ内でアップリンク干渉消去を使用させるためのコードをさらに備える、請求項７１に記載のコンピュータプログラム製品。
【発明の詳細な説明】
【技術分野】
【０００１】
関連出願の相互参照
本出願は、２００８年２月１日に出願された「UTRAN ENHANCEMENTS FOR THE SUPPORT OF INTER-CELL INTERFERENCE CANCELLATION」と題する、米国仮特許出願第６１／０２５，７０１号の利益を主張する。上述の出願の全体は参照により本明細書に組み込まれる。
【０００２】
以下の説明は、一般に、ワイヤレス通信に関し、より詳細には、ワイヤレス通信ネットワークにおいてセル間干渉消去をサポートすることに関する。
【背景技術】
【０００３】
ワイヤレス通信システムは、様々なタイプの通信を提供するために広く展開されており、たとえば、ボイスおよび／またはデータをそのようなワイヤレス通信システムを介して提供することができる。典型的なワイヤレス通信システムまたはネットワークは、１つまたは複数の共有リソース（たとえば、帯域幅、送信電力、．．．）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）などの様々な多元接続技法を使用することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数の基地局と通信することできる。順方向リンク（またはダウンリンク）は基地局からモバイルデバイスへの通信リンクを指し、逆方向リンク（またはアップリンク）はモバイルデバイスから基地局への通信リンクを指す。
【０００５】
ワイヤレス通信システムは、しばしば、カバレージエリアを与える１つまたは複数の基地局を使用する。典型的な基地局は、ブロードキャスト、マルチキャストおよび／またはユニキャストサービス用の複数のデータストリームを送信することができ、データストリームは、モバイルデバイスの独立した受信対象となるデータのストリームとすることができる。そのような基地局のカバレージエリア内のモバイルデバイスを使用して、複合ストリームによって搬送される１つ、２つ以上、またはすべてのデータストリームを受信することができる。同様に、モバイルデバイスはデータを基地局または別のモバイルデバイスに送信することができる。
【０００６】
アップリンク干渉消去が可能なノードＢセルは、セル内ユーザ（たとえば、そのノードＢセルがユーザのサービング無線リンクセットに属するユーザ、またはそのノードＢセルが非サービングセルであるユーザ）を消去する。ノードＢは、無線リンクセットアップ／追加プロシージャ中に、Ｓ−ＲＮＣによって通信されるＵＬ−ＤＰＣＨおよびＥ−ＤＰＣＨ情報を利用することができる。ある割合のセル内干渉を消去した後、セル間干渉は、かなりの量の実効ノイズまたは残差ノイズの上昇を表すので、大きなボトルネックになる。一般に、セル間ユーザ機器が長時間多くの衝撃を生じないことが望まれる。したがって、従来、瞬時ＲｏＴスパイクは許容される。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
関係する態様によれば、セル間干渉消去によって、非サービングノードＢから過大なアップリンク干渉を除去することを可能にする方法。本方法は、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することを含むことができる。本方法は、その情報に基づいて、非サービングノードＢに干渉しているユーザ機器（ＵＥ）を識別するためにメッセージを評価することをさらに含むことができる。その上、本方法は、その評価を利用してＵＥからのアップリンク干渉を消去することを備えることができる。
【０００９】
別の態様は、ワイヤレス通信装置に関する。ワイヤレス通信装置は、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することと、その情報に基づいて、非サービングノードＢに干渉しているユーザ機器（ＵＥ）を識別するためにメッセージを評価することと、その評価を利用してＵＥからのアップリンク干渉を消去することとを行うように構成された少なくとも１つのプロセッサを含むことができる。さらに、ワイヤレス通信装置は、少なくとも１つのプロセッサに結合されたメモリを含むことができる。
【００１０】
さらに別の態様は、セル間干渉消去によって非サービングノードＢから過大なアップリンク干渉を除去することを可能にするワイヤレス通信装置に関する。ワイヤレス通信装置は、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信する手段を含むことができる。さらに、ワイヤレス通信装置は、その情報に基づいて、非サービングノードＢに干渉しているユーザ機器（ＵＥ）を識別するためにメッセージを評価するための手段を備えることができる。さらに、ワイヤレス通信装置は、その評価を利用してＵＥからのアップリンク干渉を消去するための手段を含むことができる。
【００１１】
さらに別の態様は、少なくとも１つのコンピュータに、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信させるためのコードと、少なくとも１つのコンピュータに、その情報に基づいて、非サービングノードＢに干渉しているユーザ機器（ＵＥ）を識別するためにメッセージを評価させるためのコードと、少なくとも１つのコンピュータに、その評価を利用してＵＥからのアップリンク干渉を消去させるためのコードとを記憶したコンピュータ可読媒体を備えるコンピュータプログラム製品に関する。
【００１２】
他の態様によれば、セル間干渉消去を実装することを可能にする方法。本方法は、検出からアクティブセット更新までの時間に関係する測定報告であって、ユーザ機器に関係する測定報告の一部分を受信することを備えることができる方法。その上、本方法は、サービングノードＢに対するアクティブセット管理のために使用される第２のしきい値よりも低い第１のしきい値を超えることに基づいて、ユーザ機器に対して非サービングノードＢである干渉ノードＢを識別するために測定報告の一部分を評価することを含むことができる。さらに、本方法は、第１のしきい値と第２のしきい値との間にある測定報告の評価に基づいて、ユーザ機器から干渉を受信している干渉ノードＢを指定する干渉メッセージを、干渉ノードＢに送信することを含むことができる。
【００１３】
別の態様は、ワイヤレス通信装置に関する。ワイヤレス通信装置は、検出からアクティブセット更新までの時間に関係する測定報告であって、ユーザ機器に関係する測定報告の一部分を受信することと、サービングノードＢに対するアクティブセット管理のために使用される第２のしきい値よりも低い第１のしきい値を超えることに基づいて、ユーザ機器に対して非サービングノードＢである干渉ノードＢを識別するために、測定報告の一部分を評価することと、第１のしきい値と第２のしきい値との間にある測定報告の評価に基づいて、ユーザ機器から干渉を受信している干渉ノードＢを指定する干渉メッセージを、干渉ノードＢに送信することとを行うように構成された少なくとも１つのプロセッサを含むことができる。さらに、ワイヤレス通信装置は、少なくとも１つのプロセッサに結合されたメモリを含むことができる。
【００１４】
別の態様は、セル間干渉消去を実装することを可能にするワイヤレス通信装置に関する。ワイヤレス通信装置は、検出からアクティブセット更新までの時間に関係する測定報告であって、ユーザ機器に関係する測定報告の一部分を受信するための手段を備えることができる。その上、本方法は、サービングノードＢに対するアクティブセット管理のために使用される第２のしきい値よりも低い第１のしきい値を超えることに基づいて、ユーザ機器に対して非サービングノードＢである干渉ノードＢを識別するために測定報告の一部分を評価するための手段を含むことができる。さらに、本方法は、第１のしきい値と第２のしきい値との間にある測定報告の評価に基づいて、ユーザ機器から干渉を受信している干渉ノードＢを指定する干渉メッセージを、干渉ノードＢに送信するための手段を含むことができる。
【００１５】
さらに別の態様は、少なくとも１つのコンピュータに、検出からアクティブセット更新までの時間に関係する測定報告であって、ユーザ機器に関係する測定報告の一部分を受信させるためのコードと、少なくとも１つのコンピュータに、サービングノードＢに対するアクティブセット管理のために使用される第２のしきい値よりも低い第１のしきい値を超えることに基づいて、ユーザ機器に対して非サービングノードＢである干渉ノードＢを識別するために測定報告の一部分を評価させるためのコードと、少なくとも１つのコンピュータに、第１のしきい値と第２のしきい値との間にある測定報告の評価に基づいて、ユーザ機器から干渉を受信している干渉ノードＢを指定する干渉メッセージを、干渉ノードＢに送信させるためのコードとを記憶したコンピュータ可読媒体を備えるコンピュータプログラム製品に関する。
【００１６】
上記および関連する目的を達成するために、１つまたは複数の実施形態は、以下で十分に説明し、特に特許請求の範囲で指摘する特徴を備える。以下の説明および添付の図面は、１つまたは複数の実施形態のいくつかの例示的な態様を詳細に示す。ただし、これらの態様は、様々な実施形態の原理を使用することができる様々な方法のほんのいくつかを示すものであり、説明する実施形態は、すべてのそのような態様およびそれらの均等物を含むものとする。
【図面の簡単な説明】
【００１７】
【図１】本明細書記載の様々な態様によるワイヤレス通信システムを示す図。
【図２】ワイヤレス通信環境内で使用するための例示的な通信装置を示す図。
【図３】サービングノードＢと比較して過大なアップリンク干渉をネイバーノードＢに与えているユーザ機器を除去することを可能にする例示的なワイヤレス通信システムを示す図。
【図４】非サービングノードＢに対して生じている、ユーザ機器に関係するアップリンク干渉を消去する例示的な方法を示す図。
【図５】非サービングノードＢとのアップリンク干渉を生じているユーザ機器に関係する情報を識別することを含む、干渉メッセージを生成する例示的な方法を示す図。
【図６】ワイヤレス通信システムにおいてアップリンクセル間干渉消去をサポートすることを可能にする例示的なモバイルデバイスを示す図。
【図７】ワイヤレス通信環境においてアップリンクセル間干渉消去をサポートすることを可能にする例示的なシステムを示す図。
【図８】本明細書で説明する様々なシステムおよび方法とともに使用できる例示的なワイヤレスネットワーク環境を示す図。
【図９】ユーザ機器が非サービングノードＢに対して生じているアップリンク干渉を消去することを可能にする例示的なシステムを示す図。
【図１０】非サービングノードＢとのアップリンク干渉を生じているユーザ機器に関係する情報を識別することを含む、干渉メッセージを生成することができる例示的なシステムを示す図。
【発明を実施するための形態】
【００１８】
次に、図面を参照しながら様々な実施形態について説明するが、全体にわたって同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られた構造およびデバイスはブロック図の形態で示す。
【００１９】
本出願で使用する「モジュール」、「構成要素」、「評価器」、「消去」、「検出器」、「コレクタ」、「送信機」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に存することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム中、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２０】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のシステムなど様々なワイヤレス通信システムに対して使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡはＷｉｄｅｂａｎｄ  ＣＤＭＡ（Ｗ−ＣＤＭＡ）およびＣＤＭＡの他の変形態を含む。ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用する今度のリリースであり、これは、ダウンリンク上ではＯＦＤＭＡを使用し、アップリンク上ではＳＣ−ＦＤＭＡを使用する。
【００２１】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様の性能および本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用できる。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡでアップリンク多元接続方式として実装できる。
【００２２】
さらに、様々な実施形態について、モバイルデバイスに関して本明細書で説明する。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ機器（ＵＥ）とも呼ばれることがある。モバイルデバイスは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続される他の処理デバイスとすることができる。さらに、様々な実施形態について、基地局に関して本明細書で説明する。基地局は、（１つまたは複数の）モバイルデバイスと通信するために利用でき、アクセスポイント、ノードＢ、または何らかの他の用語で呼ばれることもある。
【００２３】
さらに、本明細書で説明する様々な態様または特徴は、標準のプログラミングおよび／またはエンジニアリング技法を使用した方法、装置、または製造品として実装できる。本明細書で使用する「製造品」という用語は、任意のコンピュータ可読デバイス、キャリア、または媒体からアクセス可能なコンピュータプログラムを包含することを意図する。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、デジタル多用途ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびに（１つまたは複数の）命令および／またはデータを記憶、含有、および／または搬送することが可能な様々な他の媒体を含むことができるが、これらに限定されない。
【００２４】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００２５】
基地局１０２は、モバイルデバイス１１６およびモバイルデバイス１２２など１つまたは複数のモバイルデバイスと通信することができるが、基地局１０２は、モバイルデバイス１１６および１２２と同様の実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。示されているように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。その上、モバイルデバイス１２２はアンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割デュプレックス（ＦＤＤ）システムでは、たとえば、順方向リンク１１８は、逆方向リンク１２０によって使用される周波数帯域とは異なる周波数帯域を利用することができ、順方向リンク１２４は、逆方向リンク１２６によって使用される周波数帯とは異なる周波数帯域を使用することができる。さらに、時分割デュプレックス（ＴＤＤ）システムでは、順方向リンク１１８および逆方向リンク１２０は共通の周波数帯域を利用することができ、順方向リンク１２４および逆方向リンク１２６は共通の周波数帯域を利用することができる。
【００２６】
アンテナの各グループおよび／またはそれらが通信するように指定されたエリアを、基地局１０２のセクタと呼ぶことができる。たとえば、基地局１０２によってカバーされるエリアのセクタ中のモバイルデバイスに通信するようにアンテナグループを設計することができる。順方向リンク１１８および１２４を介した通信では、基地局１０２の送信アンテナは、ビームフォーミングを利用して、モバイルデバイス１１６および１２２についての順方向リンク１１８および１２４の信号対雑音比を向上させることができる。また、基地局１０２が、ビームフォーミングを利用して関連するカバレージ中に不規則に散在するモバイルデバイス１１６および１２２に送信する間、基地局が単一のアンテナを介してその基地局のすべてのモバイルデバイスに送信する場合と比較して、隣接セル中のモバイルデバイスは干渉を受けにくい。
【００２７】
基地局１０２（および／または基地局１０２の各セクタ）は、１つまたは複数の多元接続技術（たとえば、ＣＤＭＡ、ＴＤＭＡ、ＦＤＭＡ、ＯＦＤＭＡ、．．．）を使用することができる。たとえば、基地局１０２は、対応する帯域幅上でモバイルデバイス（たとえば、モバイルデバイス１１６および１２２）と通信するための特定の技術を利用することができる。その上、２つ以上の技術を基地局１０２が使用する場合、各技術をそれぞれの帯域幅に関連付けることができる。本明細書で説明する技術は、Ｇｌｏｂａｌ  Ｓｙｓｔｅｍ  ｆｏｒ  Ｍｏｂｉｌｅ（ＧＳＭ）、Ｇｅｎｅｒａｌ  Ｐａｃｋｅｔ  Ｒａｄｉｏ  Ｓｅｒｖｉｃｅ（ＧＰＲＳ）、Ｅｎｈａｎｃｅｄ  Ｄａｔａ  Ｒａｔｅｓ  ｆｏｒ  ＧＳＭ  Ｅｖｏｌｕｔｉｏｎ（ＥＤＧＥ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｗｉｄｅｂａｎｄ  Ｃｏｄｅ  Ｄｉｖｉｓｉｏｎ  Ｍｕｌｔｉｐｌｅ  Ａｃｃｅｓｓ（Ｗ−ＣＤＭＡ）、ｃｄｍａＯｎｅ（ＩＳ−９５）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、ＭｅｄｉａＦＬＯ、Ｄｉｇｉｔａｌ  Ｍｕｌｔｉｍｅｄｉａ  Ｂｒｏａｄｃａｓｔｉｎｇ（ＤＭＢ）、Ｄｉｇｉｔａｌ  Ｖｉｄｅｏ  Ｂｒｏａｄｃａｓｔｉｎｇ−Ｈａｎｄｈｅｌｄ（ＤＶＢ−Ｈ）などを含むことができる。上記の技術は一例として与えたものであり、請求する主題はそのように限定されず、むしろ、実質的にどんなワイヤレス通信技術も、本明細書に添付の特許請求の範囲の範囲内に入るものであると意図することを諒解されたい。
【００２８】
基地局１０２は、第１の技術を用いて第１の帯域幅を使用することができる。その上、基地局１０２は、第２の帯域幅上で第１の技術に対応するパイロットを送信することができる。一例によれば、基地局１０２および／または異種基地局（図示せず）が、第２の技術を利用する通信のために、第２の帯域幅を活用することができる。その上、パイロットは、第１の技術の存在を（たとえば、第２の技術によって通信しているモバイルデバイスに）示すことができる。たとえば、パイロットは、（１つまたは複数の）ビットを使用して、第１の技術の存在に関する情報を搬送することができる。さらに、第１の技術を利用するセクタのＳｅｃｔｏｒＩＤ、第１の周波数帯域幅を示すＣａｒｒｉｅｒＩｎｄｅｘなどの情報をパイロット中に含めることができる。
【００２９】
別の例によれば、パイロットは、ビーコン（および／または一連のビーコン）とすることができる。ビーコンは、電力の大部分が１つのサブキャリアまたは数個のサブキャリア（たとえば、少数のサブキャリア）上で送信されるＯＦＤＭシンボルとすることができる。したがって、ビーコンは、帯域幅の狭い部分上のデータに干渉している間にモバイルデバイスによって観察できる強いピークを与える（たとえば、帯域幅の残りはビーコンによって影響を受けない）。この例の後に、第１のセクタは第１の帯域幅上でＣＤＭＡによって通信することができ、第２のセクタは第２の帯域幅上でＯＦＤＭによって通信することができる。したがって、第１のセクタは、第２の帯域幅上でＯＦＤＭビーコン（または、一連のＯＦＤＭビーコン）を送信することによって、第１の帯域幅上のＣＤＭＡの利用可能性を（たとえば、第２の帯域幅上でＯＦＤＭを利用して動作している（１つまたは複数の）モバイルデバイスに）示すことができる。
【００３０】
一般に、主題のイノベーションは、アップリンクセル間干渉消去を使用することができる。セル間干渉は、ノードＢセルと通信しないユーザのＷ−ＣＤＭＡ波形の和とすることができ、ノードＢセルは、これらのユーザに気づかず、したがってそのようなユーザの電力制御またはレート制御を行わない。特に、ユーザ機器（ＵＥ）は１つまたは複数の無線リンクを介してサービングノードＢに接続できる。しかし、同じＵＥは、ネイバーノードＢ（たとえば、非サービングノードＢ）において過大なアップリンク干渉を生じており、したがって隣接ノードＢのアップリンク容量を減少させることがある。請求する主題は、干渉ＵＥおよび／または非サービングノードＢに関係する最小の情報を利用することによって、ＵＥおよび非サービングノードＢによって生じた干渉の消去および除去を可能にする。したがって、ＵＥによって生じた干渉を消去することによって、アップリンク容量を増加させることができ、瞬時ライズオーバサーマル（ＲｏＴ）スパイクは減少する。
【００３１】
図２を参照すると、ワイヤレス通信環境内で使用するための通信装置２００が示されている。通信装置２００は、基地局もしくはその一部分、モバイルデバイスもしくはその一部分、またはワイヤレス通信環境中で送信されるデータを受信する実質的にどんな通信装置であってもよい。通信システムにおいて、通信装置２００は、以下で説明する構成要素を使用して、非サービングノードＢが干渉ユーザ機器（ＵＥ）を除去することができるセル間干渉消去を可能にするために利用できるメッセージを生成する。
【００３２】
通信装置２００は、どのユーザ機器（ＵＥ）が非サービングノードＢとの干渉を生じているかを判断することができる評価器２０２を含むことができる。評価器２０２は、測定報告の評価に基づいて、ＵＥが隣接セル（たとえば、非サービングノードＢ）との干渉を生じているかどうかを判断することができる。たとえば、追加のイベントを利用して、ＵＥが干渉しているセルまたはノードを検出することができる（たとえば、追加のイベントは、アクティブセット管理に使用される報告範囲よりも大きい報告範囲を有することができる）。言い換えれば、評価器２０２は、第１のしきい値を上回る特性をもつＵＥを識別するために、測定報告を評価することができ、第１のしきい値は、アクティブセット管理を識別するために使用される第２のしきい値よりも低い。
【００３３】
通信装置は、識別されたＵＥおよび非サービングノードＢによって生じている干渉を終了、消去、または除去することができる消去モジュール２０４をさらに含むことができる。消去モジュール２０４は、アップリンクセル間干渉を終了するために、測定報告および識別された干渉を生じているＵＥを活用することができる。たとえば、干渉を生じている識別されるＵＥは、測定報告および評価器２０２によって与えられた判断に基づいて識別できる。識別されると、消去モジュール２０４は、非サービングノードＢに対してそのようなＵＥによって生じた干渉を消去することができる。消去モジュール２０４は、ＵＥから干渉を受信している非サービングノードＢに情報を通信することができ、そのような情報は、そのような干渉を消去するのに十分であることを諒解されたい。
【００３４】
その上、図示されていないが、通信装置２００は、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することと、その情報に基づいて、非サービングノードＢに干渉しているユーザ機器（ＵＥ）を識別するためにメッセージを評価することと、その評価を利用してＵＥからのアップリンク干渉を消去することとなどに関する命令を保持するメモリを含むことができることを諒解されたい。
【００３５】
さらに通信装置２００は、検出からアクティブセット更新までの時間に関係する測定報告であって、ユーザ機器に関係する測定報告の一部分を受信することと、サービングノードＢに対するアクティブセット管理のために使用される第２のしきい値よりも低い第１のしきい値を超えることに基づいて、ユーザ機器に対して非サービングノードＢである干渉ノードＢを識別するために、測定報告の一部分を評価することと、第１のしきい値と第２のしきい値との間にある測定報告の評価に基づいて、ユーザ機器から干渉を受信している干渉ノードＢを指定する干渉メッセージを、干渉ノードＢに送信することとなどに関する命令を保持するメモリを含むことができることを諒解されたい。さらに、通信装置２００は、命令（たとえば、メモリ内に保持された命令、異種ソースから得られた命令、．．．）を実行することに関して利用できるプロセッサを含むことができる。
【００３６】
次に図３を参照すると、サービングノードＢと比較して過大なアップリンク干渉をネイバーノードＢに与えているユーザ機器を除去することを可能にするワイヤレス通信システム３００が例示されている。システム３００は、無線ネットワークコントローラ（ＲＮＣ）３０４（および／または任意の数の異種通信装置（図示せず））と通信する基地局３０２を含む。基地局３０２は、順方向リンクチャネルを介してＲＮＣ３０４に情報を送信することができ、さらに、基地局３０２は、逆方向リンクチャネルを介してＲＮＣ３０４から情報を受信することができる。その上、システム３００はＭＩＭＯシステムとすることができる。さらに、システム３００は、ＯＦＤＭＡワイヤレスネットワーク、３ＧＰＰ  ＬＴＥワイヤレスネットワークなどにおいて動作することができる。また、以下で図示および説明する、基地局３０２中の構成要素および機能は、ＲＮＣ３０４中にも存在することができ、一例では、その逆も同様であり、図示の構成では、説明を容易にするためにこれらの構成要素を除外してある。
【００３７】
ＲＮＣ３０４は、少なくとも１つのユーザ機器（ＵＥ）から測定報告を受信するか、または少なくとも１つのユーザ機器（ＵＥ）に測定報告を要求することができる報告コレクタ３０６を含むことができる。測定報告は、無線リンクセットアッププロシージャまたは無線リンク追加プロシージャに関係する情報要素（ＩＥ）を含むことができる。たとえば、メッセージ報告は、これらのネイバーセルがＵＥによって初めて検出された時から、それらのアクティブセット中に隣接セルを含む時間の継続時間（たとえば、検出からアクティブセット更新までの継続時間または時間）を要するユーザに関係する情報を含むことができる。特に、干渉ＵＥを識別するために、ＵＬスクランブルコード、ＵＬ  ＤＰＣＣＨスロットフォーマット、フレームオフセット、チップオフセット、ＵＬ  ＤＰＤＣＨの最大数、Ｅ−ＤＰＤＣＨの最大セット、パンクチャリミット、Ｅ−ＴＦＣＳ情報、Ｅ−ＴＴＩ、およびＥ−ＤＰＣＣＨ電力オフセットの情報を測定報告中に含むことができる。測定報告は、上述の情報、そのような情報の部分、および／または非サービングノードＢとの干渉ＵＥを識別することができる他の適切な情報を含むことができることを諒解されたい。
【００３８】
ＲＮＣ３０４は、特定の非サービングノードＢに干渉しているＵＥを識別および／または配置するために、測定報告を評価することができる干渉検出器３０８をさらに含むことができる。一般に、干渉検出器３０８は、第１のしきい値を上回り、第２のしきい値を下回ることに基づいて干渉ＵＥを識別することができ、第２のしきい値はアクティブセット管理のために使用される。言い換えれば、第１のしきい値は、ＵＥが非サービングノードＢに干渉しているかどうかを識別することができる、より低い制限であるが、第２のしきい値は、非サービングノードＢをＵＥのためのアクティブセットにすることに関係することができる（たとえば、第１のしきい値を上回ることが干渉を識別し、第２のしきい値は、ノードＢがアクティブセットとなるべきであることを識別する）。
【００３９】
ＲＮＣ３０４は、セル間干渉消去を可能にするために、メッセージを基地局３０２に通信することができる送信機３１０をさらに含むことができる。特に、送信機３１０は、ＩＣＩＣが可能なノードＢ（たとえば、基地局３０２）に、ネイバーノードＢ（たとえば、非サービングノードＢ）によってサービスされる干渉ＵＥについての適切な情報をシグナリングすることができる。送信機３１０は、干渉ＵＥごとにメッセージを定義し、情報要素（ＩＥ）を含むことができる。そのような情報要素は、基地局３０２が干渉ＵＥを識別し、消去できるようにする。その上、情報要素は、ＮＢＡＰ／ＲＮＳＡＰにおいて無線リンクセットアッププロシージャまたは無線リンク追加プロシージャに関係することができる。
【００４０】
基地局３０２は評価器３１２を含むことができる。評価器３１２は、基地局３０２（たとえば、非サービングノードＢ）に対する干渉ＵＥを終了または消去するために、情報要素をもつメッセージを利用することができる。情報要素をもつメッセージは、ＲＮＣ３０４を介して受信でき、そのようなメッセージは、基地局３０２に対するそれぞれの干渉ＵＥごとのＲＮＳＡＰ／ＮＢＡＰメッセージとすることができることを諒解されたい。言い換えれば、メッセージは、干渉ＵＥごとの各基地局３０２または非サービングノードＢに通信できる。
【００４１】
さらに、基地局３０２は、基地局３０２がそのようなＵＥによって生じた干渉を消去できるようにするために、評価器３１２によって識別された情報要素を活用することができる消去モジュール３１４を含むことができる。消去モジュール３１４は、基地局３０２（たとえば、非サービングノードＢ、非サービングであるネイバーノードＢなど）に干渉しているＵＥを消去することができる。そのようなＵＥによって生じた干渉を除去することによって、ＲＮＣ３０４によって受信されるメッセージがそのような干渉ＵＥについて最小の情報（たとえば、情報要素など）を含むと仮定するならば、アップリンク容量を最大にすることができる。
【００４２】
さらに、基地局３０２は、それ自体のセルごとに干渉ＵＥのリストを維持することができ、ノードＢは、このリストを使用して、セル間干渉消去を実行することができる。干渉ＵＥのリストを維持するためにノードＢにおいて利用されるセル間機構およびアルゴリズムは、標準的な変更がない実装形態の問題であることを諒解されたい。その上、干渉ＵＥの識別情報は、リアルタイムで（たとえば、オンザフライで）判断され、および／または（たとえば、非サービングノードＢ上で干渉しているＵＥの既存のリストまたは累積リストとして）あらかじめ定義できることを諒解されたい。
【００４３】
一般に、本イノベーションは、ネイバーセルに潜在的に干渉する、システム中のセル間ユーザの存在を消去することができる。ＵＥがネイバーセルを最初に検出した後、はるかに（たとえば、数十秒程度）後で、ネイバーセルがＵＥのアクティブセットに追加できることが、フィールドログで観察される。ネイバーセルをユーザのアクティブセットに追加することにおける遅延は、ネイバーセルのパイロット強度がサービングセルのパイロット強度の報告範囲を下回ることから生じ、遅延がＵＥによって検出されても、ＵＥのアクティブセットに入るのに十分良好であると考えられない。にもかかわらず、この継続時間中に、ＵＥがネイバーセルによって電力制御されないので、ＵＥはネイバーセルのアップリンクにセル間干渉を生じることがある。したがって、（上述の）第２のしきい値は、アクティブセットを確立するレベルであるが、（上述の）第１のしきい値は、干渉ＵＥを検出するために利用できる、（第２のしきい値と比較して）より低いレベルである。
【００４４】
その上、図示されていないが、基地局３０２は、無線リンクプロシージャに関係する情報を含む、無線ネットワークサブシステムアプリケーションパート（ＲＮＳＡＰ）メッセージまたはノードＢアプリケーションパート（ＮＢＡＰ）メッセージのうちの少なくとも１つであるメッセージを、無線ネットワークコントローラ（ＲＮＣ）から受信することと、その情報に基づいて、非サービングノードＢに干渉しているユーザ機器（ＵＥ）を識別するためにメッセージを評価することと、その評価を利用してＵＥからのアップリンク干渉を消去することとなどに関する命令を保持するメモリを含むことができることを諒解されたい。
【００４５】
さらに、基地局３０２は、検出からアクティブセット更新までの時間に関係する測定報告であって、ユーザ機器に関係する測定報告の一部分を受信することと、サービングノードＢに対するアクティブセット管理のために使用される第２のしきい値よりも低い第１のしきい値を超えることに基づいて、ユーザ機器に対して非サービングノードＢである干渉ノードＢを識別するために、測定報告の一部分を評価することと、第１のしきい値と第２のしきい値との間にある測定報告の評価に基づいて、ユーザ機器から干渉を受信している干渉ノードＢを指定する干渉メッセージを、干渉ノードＢに送信することとなどに関する命令を保持するメモリを含むことができることを諒解されたい。さらに、基地局３０２は、命令（たとえば、メモリ内に保持された命令、異種ソースから得られた命令、．．．）を実行することに関して利用できるプロセッサを含むことができる。
【００４６】
図４〜図５を参照すると、フラッシュタイマを構成することに関係する方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図などで、一連の相互に関連する状態またはイベントとして代替的に表現できることを、当業者なら理解および諒解するであろう。さらに、１つまたは複数の実施形態による方法を実施するために、図示のすべての行為が必要とされるわけではない。
【００４７】
図４を参照すると、非サービングノードＢに対して生じている、ユーザ機器に関係するアップリンク干渉を消去することを可能にする方法４００が示されている。参照番号４０２において、無線リンクプロシージャに関係する情報を含む、ＲＮＳＡＰメッセージまたはＮＢＡＰメッセージのうちの少なくとも１つであるメッセージを、無線ネットワークコントローラ（ＲＮＣ）から受信することができる。情報は、限定はしないが、ＵＬスクランブルコード、ＵＬ  ＤＰＣＣＨスロットフォーマット、フレームオフセット、チップオフセット、ＵＬ  ＤＰＤＣＨの最大数(Maximum Number)、Ｅ−ＤＰＤＣＨの最大セット    (Maximum Set)、パンクチャリミット(Puncture Limit)、Ｅ−ＴＦＣＳ情報、Ｅ−ＴＴＩ、およびＥ−ＤＰＣＣＨ電力オフセットなどの情報要素とすることができることを諒解されたい。参照番号４０４において、その情報に基づいて、非サービングノードＢに干渉しているユーザ機器（ＵＥ）を識別するためにメッセージを評価することができる。参照番号４０６において、その評価を利用してＵＥからのアップリンク干渉を消去することができる。
【００４８】
次に図５を参照すると、方法５００は、非サービングノードＢとのアップリンク干渉を生じているユーザ機器に関係する情報を識別することを含む、干渉メッセージを生成する。参照番号５０２において、検出からアクティブセット更新までの時間に関係する測定報告であって、ユーザ機器に関係する測定報告の一部分を受信することができる。参照番号５０４において、サービングノードＢに対するアクティブセット管理のために使用される第２のしきい値よりも低い第１のしきい値を超えることに基づいて、ユーザ機器に対して非サービングノードＢである干渉ノードＢを識別するために測定報告の一部分を評価することができる。参照番号５０６において、第１のしきい値と第２のしきい値との間にある測定報告の評価に基づいて、ユーザ機器から干渉を受信している干渉ノードＢを指定する干渉メッセージを、干渉ノードＢに送信することができる。
【００４９】
図６は、ワイヤレス通信システムにおいてアップリンクセル間干渉消去をサポートすることを可能にするモバイルデバイス６００を示す図である。モバイルデバイス６００は、たとえば受信アンテナ（図示せず）から信号を受信する受信機６０２を備え、受信信号に対して典型的な動作（たとえば、フィルタ処理、増幅、ダウンコンバートなど）を行い、サンプルを得るために調整された信号をデジタル化する。受信機６０２は、受信されたシンボルを復調し、チャネル推定のためにプロセッサ６０４に供給することができる復調器６０６を備えることができる。プロセッサ６０６は、受信機６０２によって受信された情報の分析および／または送信機６１６による送信のための情報の生成に専用のプロセッサ、モバイルデバイス６００の１つまたは複数の構成要素を制御するプロセッサ、および／または受信機６０２によって受信された情報の分析、送信機６１６による送信のための情報の生成、ならびにモバイルデバイス６００の１つまたは複数の構成要素の制御を行うプロセッサとすることができる。
【００５０】
モバイルデバイス６００は、さらに、メモリ６０８を備えることができ、メモリ６０８は、プロセッサ６０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ６０８は、さらに（たとえばパフォーマンスベース、容量ベースなどの）チャネルの推定および／または利用に関連するプロトコルおよび／またはアルゴリズムを記憶することができる。
【００５１】
本明細書で説明するデータストア（たとえばメモリ６０８）は、揮発性メモリもしくは不揮発性メモリのいずれかとすることができ、または揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ６０８は、これらのおよび任意の他の適切なタイプのメモリを、これらに限定されることなく、備えるものである。
【００５２】
プロセッサ６０６は、評価器６１０または消去モジュール６１２のうちの少なくとも１つに動作可能にさらに結合できる。評価器６１０は、モバイルデバイス６００（たとえば、ＵＥ）に関する情報、および隣接セル（たとえば、非サービングノードＢなど）との干渉を与える測定報告などの情報を蓄積することができる。評価器６１０は、セル間干渉の識別を可能にするために、無線ネットワークコントローラ（ＲＮＣ）に通信すべき情報を収集することができる。消去モジュール６１２は、モバイルデバイス６００と非サービングセルとの間で生じた干渉を終了または消去することができる。一般に、消去モジュール６１２は、干渉を消去するために、測定報告に関係する情報または分析を活用することができる。
【００５３】
モバイルデバイス６００は、またさらに、信号を変調する変調器６１４と、信号を、たとえば基地局、別のモバイルデバイスなどに送信する送信機６１６とをそれぞれ備える。プロセッサ６０６とは別個のものとして図示されているが、評価器６１０、消去モジュール６１２、復調器６０４、および／または変調器６１４は、プロセッサ６０６または複数のプロセッサ（図示せず）の一部とすることができることを諒解されたい。
【００５４】
図７は、上述のように、ワイヤレス通信環境においてアップリンクセル間干渉消去をサポートすることを可能にするシステム７００を示す図である。システム７００は基地局７０２（たとえば、アクセスポイント、．．．）を備え、基地局７０２は、複数の受信アンテナ７０６を介して１つまたは複数のモバイルデバイス７０４から（１つまたは複数の）信号を受信する受信機７１０と、送信アンテナ７０８を介して１つまたは複数のモバイルデバイス７０４に送信する送信機７２４とを有する。受信機７１０は受信アンテナ７０６から情報を受信することができ、受信された情報を復調する復調器７１２に動作可能に関連する。復調されたシンボルは、図６に関して上述したプロセッサと同様とすることができるプロセッサ７１４によって分析され、プロセッサ７１４は、信号（たとえばパイロット）強度および／または干渉強度、（１つまたは複数の）モバイルデバイス７０４（または異種基地局（図示せず））に送信されるべきデータまたはそこから受信されるべきデータを推定することに関係する情報、および／または本明細書に記載の様々な動作および機能を行うことに関係する他の適切な情報を記憶するメモリ７１６に結合される。
【００５５】
その上、プロセッサ７１４は、評価器７１８または消去モジュール７２０のうちの少なくとも１つに結合できる。評価器７１８は、隣接セル（たとえば、非サービングノードＢなど）に干渉するＵＥに関する情報を与える測定報告などの情報を受信することができる。評価器７１８は、無線ネットワークコントローラ（ＲＮＣ）からの受信情報に基づいて干渉ＵＥを識別するために、測定報告を審査することができる。消去モジュール７２０は、ＵＥと非サービングセルとの間で生じた干渉を終了または消去することができる。一般に、消去モジュール６１２は、干渉ＵＥによって生じた干渉を消去するために、測定報告に関係する情報または分析を活用することができる。
【００５６】
さらに、プロセッサ７１４とは別個のものとして図示されているが、評価器７１８、消去モジュール７２０、復調器７１２、および／または変調器７２２は、プロセッサ７１４または複数のプロセッサ（図示せず）の一部とすることができることを諒解されたい。
【００５７】
図８は、例示的なワイヤレス通信システム８００を示す。ワイヤレス通信システム８００には、簡潔のために、１つの基地局８１０と、１つのモバイルデバイス８５０とを示してある。ただし、システム８００は２つ以上の基地局および／または２つ以上のモバイルデバイスを含むことができ、追加の基地局および／またはモバイルデバイスは、以下で説明する例示的な基地局８１０およびモバイルデバイス８５０と実質的に同様または異なるものとすることができることを諒解されたい。さらに、基地局８１０および／またはモバイルデバイス８５０は、それらの間のワイヤレス通信を可能にするために、本明細書で説明するシステム（図１〜図３および図６〜図７）および／または方法（図４〜図５）を使用することができることを諒解されたい。
【００５８】
基地局８１０で、多くのデータストリームのトラフィックデータがデータソース８１２から送信（ＴＸ）データプロセッサ８１４に与えられる。一例によれば、各データストリームは、それぞれのアンテナを介して送信できる。ＴＸデータプロセッサ８１４は、トラフィックデータストリーム用に選択された特定のコーディング方式に基づいてそのデータストリームをフォーマットし、コーディングし、インタリーブして、符号化データを与える。
【００５９】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス８５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを供給することができる。各データストリームのデータレート、コーディング、および変調は、プロセッサ８３０によって実行または与えられる命令によって決定できる。
【００６０】
データストリームの変調シンボルはＴＸ  ＭＩＭＯプロセッサ８２０に与えられ、ＴＸ  ＭＩＭＯプロセッサ８２０は、さらに（たとえば、ＯＦＤＭ用に）変調シンボルを処理することができる。次いで、ＴＸ  ＭＩＭＯプロセッサ８２０は、ＮＴ個の変調シンボルストリームをＮＴ個の送信機（ＴＭＴＲ）８２２ａ〜８２２ｔに供給する。様々な実施形態において、ＴＸ  ＭＩＭＯプロセッサ８２０は、データストリームのシンボルと、シンボルが送信されているアンテナとにビームフォーミング重みを適用する。
【００６１】
各送信機８２２は、それぞれのシンボルストリームを受信および処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機８２２ａ〜８２２ｔからのＮＴ個の変調信号は、それぞれＮＴ個のアンテナ８２４ａ〜８２４ｔから送信される。
【００６２】
モバイルデバイス８５０では、送信された変調信号はＮＲ個のアンテナ８５２ａ〜８５２ｒによって受信され、各アンテナ８５２からの受信信号は、それぞれの受信機（ＲＣＶＲ）８５４ａ〜８５４ｒに供給される。各受信機８５４は、それぞれの信号を調整（たとえば、フィルタ処理、増幅、およびダウンコンバート）し、調整された信号をデジタル化してサンプルを供給し、さらに、それらのサンプルを処理して、対応する「受信」シンボルストリームを供給する。
【００６３】
ＲＸデータプロセッサ８６０は、特定の受信機処理技法に基づいてＮＲ個の受信機８５４からＮＲ個の受信シンボルストリームを受信し、処理して、ＮＴ個の「検出」シンボルストリームを供給することができる。ＲＸデータプロセッサ８６０は、各検出シンボルストリームを復調し、デインタリーブし、復号して、データストリームのトラフィックデータを復元することができる。ＲＸデータプロセッサ８６０による処理は、基地局８１０においてＴＸ  ＭＩＭＯプロセッサ８２０およびＴＸデータプロセッサ８１４によって実行される処理を補足するものである。
【００６４】
プロセッサ８７０は、上述のように、どのプリコーディング行列を利用すべきかを周期的に決定することができる。さらに、プロセッサ８７０は、行列インデックス部とランク値部とを備える逆方向リンクメッセージを作成することができる。
【００６５】
逆方向リンクメッセージは、通信リンクおよび／または受信データストリームに関する様々なタイプの情報を備えることができる。逆方向リンクメッセージは、データソース８３６から多くのデータストリームのトラフィックデータをも受信するＴＸデータプロセッサ８３８によって処理され、変調器８８０によって変調され、送信機８５４ａ〜８５４ｒによって調整され、基地局８１０に戻される。
【００６６】
基地局８１０において、モバイルデバイス８５０からの変調信号は、アンテナ８２４によって受信され、受信機８２２によって調整され、復調器８４０によって復調され、ＲＸデータプロセッサ８４２によって処理されて、モバイルデバイス８５０によって送信された逆方向リンクメッセージが抽出される。さらに、プロセッサ８３０は、抽出されたメッセージを処理して、ビームフォーミング重みを決定するためにどのプリコーディング行列を使用すべきかを決定することができる。
【００６７】
プロセッサ８３０および８７０は、それぞれ基地局８１０およびモバイルデバイス８５０における動作を指示（たとえば、制御、調整、管理など）することができる。それぞれのプロセッサ８３０および８７０を、プログラムコードおよびデータを記憶するメモリ８３２および８７２に関連付けることができる。プロセッサ８３０および８７０はまた、それぞれアップリンクおよびダウンリンクについての周波数およびインパルス応答推定値を得るための計算を行うことができる。
【００６８】
本明細書で説明する実施形態は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００６９】
実施形態は、ソフトウェア、ファームウェア、ミドルウェアまたはマイクロコード、プログラムコードまたはコードセグメントで実装した場合、記憶構成要素など、機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパッシング、転送、または送信することができる。
【００７０】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段を介してプロセッサに通信可能に結合できる。
【００７１】
図９を参照すると、ユーザ機器が非サービングノードＢに対して生じているアップリンク干渉を消去することを可能にするシステム９００が示されている。たとえば、システム９００は、少なくとも部分的に基地局、無線ネットワークコントローラ（ＲＮＣ）、モバイルデバイスなどの内部に存することができる。システム９００は機能ブロックを含むものとして表されており、その機能ブロックは、プロセッサ、ソフトウェア、またはそれらの組合せ（たとえばファームウェア）によって実装される機能を表す機能ブロックとすることができることを諒解されたい。システム９００は、連携して動作することができる電気構成要素の論理グルーピング９０２を含む。論理グルーピング９０２は、無線リンクプロシージャに関する情報を含む、ＲＮＳＡＰメッセージまたはＮＢＡＰメッセージのうちの少なくとも１つであるメッセージを、無線ネットワークコントローラ（ＲＮＣ）から受信するための電気構成要素を含むことができる（９０４）。さらに、論理グルーピング９０２は、その情報に基づいて、非サービングノードＢに干渉しているユーザ機器（ＵＥ）を識別するためにメッセージを評価するための電気構成要素を備えることができる（９０６）。その上、論理グルーピング９０２は、その評価を利用してＵＥからのアップリンク干渉を消去するための電気構成要素を含むことができる（９０８）。さらに、システム９００は、電気的構成要素９０４、９０６、および９０８に関連する機能を実行するための命令を保持するメモリ９１０を含むことができる。メモリ９１０の外部にあるものとして図示されているが、１つまたは複数の電気構成要素９０４、９０６、および９０８はメモリ９１０の内部に存在することができることを理解されたい。
【００７２】
図１０を参照すると、非サービングノードＢとのアップリンク干渉を生じているユーザ機器に関係する情報を識別することを含む、干渉メッセージを生成することができるシステム１０００が示されている。システム１０００は、たとえば、基地局、無線ネットワークコントローラ（ＲＮＣ）、モバイルデバイスなどの内部に存することができる。図示のように、システム１０００はプロセッサ、ソフトウェア、またはそれらの組合せ（たとえば、ファームウェア）によって実装される機能を表すことができる機能ブロックを含む。システム１０００は、アップリンク容量を最適化するために、セル間干渉を消去することを可能にする電気構成要素の論理グルーピング１００２を含む。論理グルーピング１００２は、検出からアクティブセット更新までの時間に関係する測定報告であって、ユーザ機器に関係する測定報告の一部分を受信するための電気構成要素を含むことができる（１００４）。さらに、論理グルーピング１００２は、サービングノードＢに対するアクティブセット管理のために使用される第２のしきい値よりも低い第１のしきい値を超えることに基づいて、ユーザ機器に対して非サービングノードＢである干渉ノードＢを識別するために測定報告の一部分を評価するための電気構成要素を含むことができる（１００６）。さらに、論理グルーピング１００２は、第１のしきい値と第２のしきい値との間にある測定報告の評価に基づいて、ユーザ機器から干渉を受信している干渉ノードＢを指定する干渉メッセージを、干渉ノードＢに送信するための電気構成要素を含むことができる（１００８）。さらに、システム１０００は、電気的構成要素１００４、１００６、および１００８に関連する機能を実行するための命令を保持するメモリ１０１０を含むことができる。メモリ１０１０の外部にあるものとして図示されているが、電気的構成要素１００４、１００６、および１００８はメモリ１０１０の内部に存在することができることを理解されたい。
【００７３】
上記で説明したことは１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかで使用される限り、「備える（comprising）」という用語が使用時に請求項における移行語と解釈されるので「備える（comprising）」と同様に包括的なものとする。
【図１】
2011514042.tif 000003
【図２】
2011514042.tif 000004
【図３】
2011514042.tif 000005
【図４】
2011514042.tif 000006
【図５】
2011514042.tif 000007
【図６】
2011514042.tif 000008
【図７】
2011514042.tif 000009
【図８】
2011514042.tif 000010
【図９】
2011514042.tif 000011
【図１０】
2011514042.tif 000012
【国際調査報告】
2011514042.tif 000013
2011514042.tif 000014
2011514042.tif 000015
2011514042.tif 000016
2011514042.tif 000017